(57)【要約】【課題】    電動送風機を覆うモータケースの排気用開口部にフィルタを排泄することによりモータを通って排出される排気そのものを正常にする電気掃除機を提供する。【解決手段】  集塵室８と、集塵室８の下流側に設けられる電動送風機収納室１７と、電動送風機収納室１７内に収納されるファン１４及びモータ１５からなる電動送風機と、電動送風機を覆うモータカバー１６と、電動送風機収納室１７の下流側に設けられる排気室２０と、排気を排気する排気口２２とを備え、モータカバー１６には、電動送風機の排気を排気する開口部を形成し、開口部に排気フィルタ２５ｂを配設すると共に、排気室２０に至った排気を濾過して排気口２２から排気するフィルタ２１を設けたことを特徴とする。【選択図】        図５
2006297134.tif 000002
【特許請求の範囲】
【請求項１】
集塵室と、該集塵室の下流側に設けられる電動送風機収納室と、該電動送風機収納室内に収納される電動送風機と、該電動送風機を覆うモータカバーと、前記電動送風機収納室の下流側に設けられる排気室と、排気を外部に排気する排気口とを備えた電気掃除機において、
前記モータカバーには、電動送風機の排気を排気する開口部を形成し、該開口部に排気フィルタを配設すると共に、前記排気室に至った排気を濾過して排気口から排気するフィルタを設けたことを特徴とする電気掃除機。
【請求項２】
前記モータカバーの排気用の開口部を、掃除機本体の下方側に形成したことを特徴とする請求項１記載の電気掃除機。
【請求項３】
前記排気フィルタ通過後の空気によりコードリールを冷却することを特徴とする請求項１記載の電気掃除機。
【請求項４】
前記電動送風機を難燃性かつ通気性のある素料で形成されたサイレンサーパイプにて覆ったことを特徴とする請求項１記載の電気掃除機。
【請求項５】
前記電動送風機のモータとして、整流子モータを用い、前記サイレンサーパイプにより整流子モータの刷子を囲むように覆ったことを特徴とする請求項３の電気掃除機。
【請求項６】
前記サイレンサーパイプの下流側に前記排気フィルタを配設したことを特徴とする請求項３記載の電気掃除機。
【発明の詳細な説明】
【技術分野】
【０００１】
本発明は電気掃除機の構成部材である電動送風機のモータカバーからの塵芥を含んだ排気を清浄にする排気クリーンな電気掃除機に関する。
【背景技術】
【０００２】
一般に騒音対策と空気の清浄化はいろいろな分野で重要視されており、特に日常的に使用される家庭用電気機器の騒音を少なく、排気をクリーンにすることは、ユーザーの要望も強く、そのことが商品の価値を左右する程の要因ともなっており、騒音をいかに少なく、排気クリーンにするかはメーカーにとっても解決すべき需要課題である。
【０００３】
家庭用電気機器のうちでも頻繁に使用され、かつ主たる使用の場が室内である電気掃除機は、その高性能化に伴ってかなりの騒音が発生し病人や幼児がいる家庭では特に気を使うことであった。また排気をクリーンにすることも同様に重要視されている。そこで操作時の音がより静かな静音タイプでかつ排気がクリーンな電気掃除機の出現が望まれている。
【０００４】
排気は電動送風機のモータのカバー内から主に後方の排気口からフィルタで濾過されて排出されるが、一部はコードリールの冷却のためコードリールケースにも供給される。コードリールケースにはコードの引出口があるため、その引出口から濾過されない空気が排気されることになる。そこで排気をクリーンにする対策として、後方の排気口にフィルタを取付けることは勿論のこと、コードリールケースへの冷却風供給口にもフィルタを取付けて対応していた。
【０００５】
このため、電気掃除機の後方の排気口とコードリールケースへの冷却風供給口の２個所にフィルタを取付けなければならなかった。特に、コードリールケースへの冷却風供給口へのフィルタの取付けには、接着剤の塗布とフィルタの貼付け等の手作業によるものであり、作業効率が悪かった。
【特許文献１】特開平５−９５８６０号公報
【発明の開示】
【発明が解決しようとする課題】
【０００６】
このような課題に鑑み、本発明は、電気掃除機の構成部材である電動送風機のモータカバーからの塵芥を含んだ排気をクリーンにするために、モータを筒状のフィルタで覆うことによりモータを通って排出される排気そのものを清浄にする排気クリーンな電気掃除機を提供することを目的とするものである。
【課題を解決するための手段】
【０００７】
上記課題を解決するため、本発明の電気掃除機は、集塵室と、該集塵室の下流側に設けられる電動送風機収納室と、該電動送風機収納室内に収納される電動送風機と、該電動送風機を覆うモータカバーと、前記電動送風機収納室の下流側に設けられる排気室と、排気を外部に排気する排気口とを備えた電気掃除機において、前記モータカバーには、電動送風機の排気を排気する開口部を形成し、該開口部に排気フィルタを配設すると共に、前記排気室に至った排気を濾過して排気口から排気するフィルタを設けたことを特徴とする。
【０００８】
前記排気フィルタ通過後の空気によりコードリールを冷却する構成とすることが好ましい。
【０００９】
前記電動送風機を難燃性かつ通気性のある素料で形成されたサイレンサーパイプにて覆うことが好ましい。
【００１０】
前記電動送風機のモータとして、整流子モータを用い、前記サイレンサーパイプにより整流子モータの刷子を囲むように覆うことが好ましい。
【００１１】
前記サイレンサーパイプの下流側に前記排気フィルタを配設することが好ましい。
【発明の効果】
【００１２】
本発明は、電動送風機のモータを通った塵芥を含んだ排気は、排気フィルタで微細塵を濾過することによりクリーンな排気とすることができ、コードリールへの冷却風供給口へのフィルタの取付けが不要となり接着剤の塗布とフィルタの貼付け等の手作業が省略でき、作業効率を高めることができる等の効果を奏する。
【発明を実施するための最良の形態】
【００１３】
本発明を本出願人が提案している静音タイプの電気掃除機を例にして図１〜図３により説明する。図１は電気掃除機の外観図であり、１は上ケース（ケースアッパー）、２は下ケース（ケースロアー）、３はケースカバーであって、この１〜３で本体ケースを構成している。４はバンパー、５はダストカバー、６は車輪である。上ケース１および下ケース２は２層構造になっており、騒音が外部に漏れることを防止している。バンパー４は集塵室の密閉度を高めるためのシールパッキンを兼用している。
【００１４】
図２は図１に示す電気掃除機の正面断面図である。７は吸込口、８は集塵室、９は集塵メータ、１０はフィルタ、１１は仕切板（隔壁）、１２は整流板、１３は防振クッション、１４は電動送風機のファン、１５は電動送風機のモータ、１６はモータカバー、１７は電動送風機収納室、１８はコードリール、１９はコードリールケース、２０は排気室、２１はフィルタ、２２は排気口である。図３は図１に示す電気掃除機の平面断面図で、２４はキャスタ台であり、他の番号は図２のものと同一部材には同一番号を付している。
【００１５】
このように構成された電気掃除機の基本動作は、まず電動送風機収納室１７に収納された電動送風機のファン１４の吸引動作により、ホースを通って吸込口７から空気と一緒に吸込まれた塵は集塵室８において紙パックでなる集塵袋に塵のみが集められ、残りの排気はフィルタ１０で塵を濾過した後、仕切板１１の空隙を通って整流板１２で排気の流れを整流して、電動送風機のファン１４に吸引される。
【００１６】
吸引された排気は電動送風機のモータ１５の内部を経てモータカバー１６の下方部の一部に形成された開口部からコードリールケース１９を通った後、排気室２０に至りフィルタ２１で濾過されて排気口２２から排出される。
【００１７】
整流板１２で排気の流れを整流することにより、電動送風機のファン１４にランダムに衝突することを回避できて騒音の発生を減少させることができる。また、排気をモータカバー１６の下方部の一部に形成された開口部からまとめて排気することにより、従来の電気掃除機でのモータカバーの後端部から拡散的に放出するのに比較して、騒音の発生を減少させることができる。
【００１８】
また、排気をモータカバー１６の下方部の一部に形成された開口部からコードリールケース１９を通すことにより、通電により過熱されたコードリールを冷却すると共に、狭い所を通った排気が広いコードリールケース内に放出された後、排気室のリアカバーに沿って排出されることで、消音装置におけるチャンバ効果と同様な作用により減音が図られることになる。
【００１９】
次に、本発明の特徴とする、電動送風機のモータの周囲を覆う筒状のフィルタとその取付けについて、本出願人が提案した静音タイプの電気掃除機に適用した実施例で図４〜図７を参照して説明する。
【００２０】
図４は電気掃除機の正面破断面図である。図１〜図３のものと同一部材には同じ番号を付しており、１５は電動送風機のモータ、１６はモータカバー、１７は電動送風機収納室、１８はコードリール、１９はコードリールケース、２０は排気室、２１はフィルタ、２２は排気口である。電動送風機のファン１４とモータ１５は連結されており、モータ１２は筒状フィルタ２５で覆われている。
【００２１】
本発明に使用される筒状フィルタ２５はサイレンサーパイプ２５ａと排気フィルタ２５ｂの２層で構成されている。図５に筒状フィルタ２５の実施例を示す。図５（Ａ）はサイレンサーパイプ２５ａであり、整流子モータの刷子による火花からの防護のために難燃性でかつ通気性のある素料で形成されており、筒状にしてホッチキス２６で留めている。このようなサイレンサーパイプのみは従来の電気掃除機においても使用されている。
【００２２】
このサイレンサーパイプのみの使用では、整流子モータの刷子による火花から他の部材を防護することはできるが、排気には微細塵が含まれていてクリーンな排気ではなかったので、排気をモータカバー１６の下方部の一部に形成された開孔からコードリールケース１９を通すことにより、通電により過熱されたコードリールを冷却下後、コードリールケースにはコードの引出口があるため、引出口から濾過されない排気が排出されることになる。
【００２３】
そこで本発明に使用される筒状フィルタ２５は、図５（Ｂ）に示すように、サイレンサーパイプ２５ａの上面に、モータカバー１６の下方部の一部に形成された開口部を十分にカバーできる範囲に排気フィルタ２５ｂを重ね合わせ、ホッチキス２６で留めて２層に構成する。筒状を形成する場合に、サイレンサーパイプ２５ａと排気フィルタ２５ｂとを一緒に留めることによりホッチキス２６の一部が共用できる。
【００２４】
このような筒状フィルタ２５をモータ１２に覆った状態を図６に示す。図６は本発明の電気掃除機の後方側面断面図であり、図１〜図５のものと同一部材には同じ番号を付している。上記のように形成された、サイレンサーパイプ２５ａと排気フィルタ２５ｂの２層構造でなる筒状フィルタ２５によって、モータカバー１６の下方部の一部に形成された開口部に排気フィルタ２５ｂが対面するように、モータ１２の刷子の部分も含んで囲むように全体を覆う。
【００２５】
こうしてモータを通った排気を、モータカバー１６の下方部の一部に形成された開口部から、筒状フィルタ２５の排気フィルタ２５ｂで微細塵を濾過してクリーンな排気にしてから、コードリールケース１９に通すことにより、通電により過熱されたコードリールを冷却した後、排気室のリアカバーに沿って排気口から排出される。
【００２６】
図５（Ｂ）のように形成された筒状フィルタ２５で十分に本発明の目的は達成されるが、図のように、排気フィルタ２５ｂがモータカバー１６の下方部の一部に形成された開孔を覆うことができる程度の幅で形成すると、排気フィルタ２５をモータの周囲に取付ける際、モータカバー１６の下方部の一部に形成された開孔に対面するように位置合わせを行なう必要があり、取付け作業上その分だけ手間と注意力を必要とされ、作業効率の点でもう一つ工夫が望まれた。
【００２７】
そこでその点を改善するため図７に他の実施例を示す。図７（Ａ）は筒状フィルタ２５の側面図であり、同図（Ｂ）は平面図である。まず、難燃性でかつ通気性のある素材でサイレンサーパイプ２５ａを筒状に端部を重ねて作り、その表面の円周全体に旦って排気フィルタ２５ｂを重ね合わせてホチキス２６で留めて筒状フィルタ２５を作成する。
【００２８】
このように形成された筒状フィルタ２５を、図６のように、モータに取付け作業に際しては、筒状フィルタ２５のどの位置にも排気フィルタ２５ｂが存在するので、作業員はモータカバー１６の下方部の一部に形成された開口部に対面するように位置合わせを行なう必要がなく、取付作業が簡単になる。その結果、作業効率を高めることができる。
【００２９】
上記説明は本出願人が提案した静音タイプの電気掃除機に筒状フィルタを適用した実施例で行なったが、これに限ることなく他の周知な電気掃除機に同様な筒状フィルタを適用することによっても本発明の目的を達成し作用効果を奏しうるものである。
【図面の簡単な説明】
【００３０】
【図１】電気掃除機の外観図。
【図２】電気掃除機の正面断面図。
【図３】電気掃除機の平面断面図。
【図４】電気掃除機の正面破断面図。
【図５】筒状フィルタ構成図。
【図６】電気掃除機の後方側面断面図。
【図７】他の筒状フィルタ構成図。
【符号の説明】
【００３１】
１              上ケース
２              下ケース
３              ケースカバー
４              バンパー
５              ダストカバー
６              車輪
７              吸込口
８              集塵室
９              集塵メータ
１０            フィルタ
１１            仕切板（隔壁）
１２            整流板
１３            防振クッション
１４            電動送風機のファン
１５            電動送風機のモータ
１６            モータカバー
１７            電動送風機収納室
１８            コードリール
１９            コードリールケース
２０            排気室
２１            フィルタ
２２            排気口
２３            ファンカバー
２４            キャスタ台
２５            筒状フィルタ
２６            ホチキス
【図１】
2006297134.tif 000003
【図２】
2006297134.tif 000004
【図３】
2006297134.tif 000005
【図４】
2006297134.tif 000006
【図５】
2006297134.tif 000007
【図６】
2006297134.tif 000008
【図７】
2006297134.tif 000009